(57)【要約】【課題】部品点数を減少させることで、製造コストの低減や軽量化を図ることができ、しかも、取り付けが容易で施工性を向上させることができる折板用固定金具の提供。【解決手段】梁材２の長手方向において隣接する一方の折板材３を支持する第１の折板支持部５と、他方の折板材３を支持する第２の折板支持部６とが設けられた金具本体４と、  この金具本体４の上部に設けられ、前記一方の折板材３の端部と他方の折板材３の端部とを巻き込むようにして接合する折板接合部７と、  前記金具本体４の下部に設けられ、前記梁材２の一部を上下から挟み込む挟持部８とを備えており、  前記挟持部８は、前記梁材２の一部を上側から挟み込む上挟持片８ａと、下側から挟み込む下挟持片８ｂと、これら上下挟持片８ａ、８ｂを上下に離れる方向に弾性的に撓み可能に連結する連結部８ｃとから構成されている折板用固定金具１。【選択図】図１
2006193950.tif 000002
【特許請求の範囲】
【請求項１】
鋼製の梁材上に、折板屋根を構成する複数の折板材を固定する折板用固定金具において、
前記複数の折板材のうち、前記梁材の長手方向において隣接する一方の折板材を支持する第１の折板支持部と、他方の折板材を支持する第２の折板支持部とが設けられた金具本体と、
この金具本体の上部に設けられ、前記一方の折板材の端部と他方の折板材の端部とを巻き込むようにして接合する折板接合部と、
前記金具本体の下部に設けられ、前記梁材の一部を上下から挟み込む挟持部とを備えており、
前記挟持部は、断面略Ｕ字状に形成され、前記梁材の一部を上側から挟み込む上挟持片と、下側から挟み込む下挟持片と、これら上下挟持片を上下に離れる方向に弾性的に撓み可能に連結する連結部とから構成されていること特徴とする折板用固定金具。
【請求項２】
請求項１に記載の折板用固定金具において、
前記上挟持片の内面側には接地部が設けられ、前記下挟持片の内面側には突出部が設けられていることを特徴とする折板用固定金具。
【発明の詳細な説明】
【技術分野】
【０００１】
本発明は、鋼製の梁材上に、折板屋根を構成する複数の折板材を固定する折板用固定金具に関する。
【背景技術】
【０００２】
折板屋根の構築に際し、屋根板取付金具は、屋根板の取り付けに先立って、取付金具自体をＨ鋼等からなる下地材に固定して行う。
下地材がＨ鋼の場合、取付金具の固定作業は溶接で行うことが多い。溶接の場合には、高所での溶接作業に加えて、溶接した部分に塗装をしなければならない等、手間がかかる煩雑な作業であった。
そこで、例えば、Ｈ鋼に形成された被固定部に対して、ボルト部やナット部等で構成された締め付け手段を作用させることによって、溶接作業が不要となるような技術の提案がなされている（例えば、特許文献１参照）。
【特許文献１】特開平２００３−１１３６６１号公報
【発明の開示】
【発明が解決しようとする課題】
【０００３】
ところが、このような屋根板取付金具を製造するには、金具本体や屋根板（以下、折板材）を接合する吊子（以下、折板接合部）、Ｈ鋼の被固定部と金具本体とを固定する圧接部材、この圧接部材を上下に締め付ける締め付け手段等、多数の部品を組み合わせて製造しなければならなかった。
このように、多数の部品を用いて製造する場合には、屋根板取付金具（以下、折板用固定金具）の製造にかかるコストが高くなるだけではなく、金具自体の重さが重くなってしまう場合もある。
【０００４】
そこで、部品点数を減少させることにより、上記のような問題を解決し得る技術の開発が望まれていた。
さらには、このように部品点数を減少させた場合においても、例えば溶接やボルト締め等の作業工程をなくすことにより、施工性を向上させ得るような技術の開発が強く望まれていた。
【０００５】
本発明の課題は、部品点数を減少させることにより、製造コストを低減することができるとともに、軽量化を図ることができ、しかも、容易に取り付けることが可能となり、施工性を向上させることができる折板用固定金具を提供することを目的とする。
【課題を解決するための手段】
【０００６】
請求項１に記載の発明は、例えば図１および図２（ａ）、（ｂ）に示すように、鋼製の梁材２上に、折板屋根Ａを構成する複数の折板材３、３…を固定する折板用固定金具１において、
前記複数の折板材３、３…のうち、前記梁材２の長手方向において隣接する一方の折板材３を支持する第１の折板支持部５と、他方の折板材３を支持する第２の折板支持部６とが設けられた金具本体４と、
この金具本体４の上部に設けられ、前記一方の折板材３の端部と他方の折板材３の端部とを巻き込むようにして接合する折板接合部７と、
前記金具本体４の下部に設けられ、前記梁材２の一部を上下から挟み込む挟持部８とを備えており、
前記挟持部８は、断面略Ｕ字状に形成され、前記梁材２の一部を上側から挟み込む上挟持片８ａと、下側から挟み込む下挟持片８ｂと、これら上下挟持片８ａ、８ｂを上下に離れる方向に弾性的に撓み可能に連結する連結部８ｃとから構成されていること特徴とする。
【０００７】
請求項１に記載の発明によれば、前記複数の折板材３、３…のうち、前記梁材２の長手方向において隣接する一方の折板材３を支持する第１の折板支持部５と、他方の折板材３を支持する第２の折板支持部６とが設けられた金具本体４と、
この金具本体４の上部に設けられ、前記一方の折板材３の端部と他方の折板材３の端部とを巻き込むようにして接合する折板接合部７と、
前記金具本体４の下部に設けられ、前記梁材２の一部を上下から挟み込む挟持部８とを備えており、
前記挟持部８は、断面略Ｕ字状に形成され、前記梁材２の一部を上側から挟み込む上挟持片８ａと、下側から挟み込む下挟持片８ｂと、これら上下挟持片８ａ、８ｂを上下に離れる方向に弾性的に撓み可能に連結する連結部８ｃとから構成されていることから、製造コストを低減することができるとともに、軽量化を図ることができ、しかも施工性を向上させることが可能となる。
すなわち、前記第１の折板支持部５と第２の折板支持部６とが設けられた金具本体４によって、前記梁材２の長手方向において隣接する一方の折板材３と他方の折板材３とを一遍に支持することができる。また、前記金具本体４の上部に設けられた折板接合部７によって、前記第１の折板支持部５により支持される一方の折板材３の端部と、前記第２の折板支持部６により支持される他方の折板材３の端部とを巻き込むようにして接合することができるので、隣接する折板材３どうしを強固に接合することが可能となる。そして、前記金具本体４の下部に設けられた挟持部８によって、前記梁材２の一部を上下から挟み込むことができ、さらには、該挟持部８の上下挟持片８ａ、８ｂを前記連結部８ｃによって上下に離れる方向に弾性的に撓み可能に連結するので、この連結部８ｃが弾性的に撓み、前記上下挟持片８ａ、８ｂを前記梁材２の一部に容易に挟み込ませることができるとともに、弾性的に撓み可能な連結部８ｃがその弾性復帰力によって前記上下挟持片８ａ、８ｂを、前記梁材２の一部に強固に挟み込ませることができる。
また、従来とは異なり、以上のように比較的少ない部材数によって構成されていても、前記梁材２上に前記一方の折板材３および他方の折板材３を確実に固定することができるので、従来と比較して、その製造コストを低減させることができるとともに、軽量化を図ることができる。さらには、前記金具本体４の下部に設けられた挟持部８により容易、かつ強固に、前記梁材２上に一方および他方の折板材３を固定することができるので、溶接作業やボルト締め作業の作業工程をなくすことが可能となり、施工性を格段に向上させることができる。
【０００８】
請求項２に記載の発明は、例えば図２（ａ）、（ｂ）に示すように、請求項１に記載の折板用固定金具１において、
前記上挟持片８ａの内面側には接地部８ｄが設けられ、前記下挟持片８ｂの内面側には突出部８ｅが設けられていることを特徴とする。
【０００９】
請求項２に記載の発明によれば、前記上挟持片８ａの内面側には接地部８ｄが設けられ、前記下挟持片８ｂの内面側には突出部８ｅが設けられていることから、前記上下挟持片８ａ、８ｂにより前記梁材２の一部を挟み込む際に、前記上挟持片８ａの接地部８ｄが前記梁材２上に安定的に当接するので、前記折板用固定金具１の立設状態を向上させることができるとともに、前記下挟持片８ｂの突出部８ｅが前記梁材２の一部に滑り止めのようにして当接するので、前記挟持部８の挟持状態を向上させることができる。
【発明の効果】
【００１０】
本発明によれば、従来とは異なり、比較的少ない部材数によって構成されていても、前記梁材上に前記一方の折板材および他方の折板材を確実に固定することができるので、従来と比較して、その製造コストを低減させることができるとともに、軽量化を図ることができる。さらには、前記金具本体の下部に設けられた挟持部により容易、かつ強固に、前記梁材上に一方および他方の折板材を固定することができるので、溶接作業やボルト締め作業の作業工程をなくすことが可能となり、施工性を格段に向上させることができる。
【発明を実施するための最良の形態】
【００１１】
以下、図面を参照して本発明に係る折板用固定金具１の実施の形態について説明する。
【００１２】
本実施の形態の折板用固定金具１は、図１および図２（ａ）、（ｂ）に示すように、鋼製の梁材２上に、折板屋根Ａを構成する複数の折板材３、３…を固定するものであり、
前記複数の折板材３、３…のうち、前記梁材２の長手方向において隣接する一方の折板材３を支持する第１の折板支持部５と、他方の折板材３を支持する第２の折板支持部６とが設けられた金具本体４と、
この金具本体４の上部に設けられ、前記一方の折板材３の端部と他方の折板材３の端部とを巻き込むようにして接合する折板接合部７と、
前記金具本体４の下部に設けられ、前記梁材２の一部を上下から挟み込む挟持部８とを備えており、
前記挟持部８は、断面略Ｕ字状に形成され、前記梁材２の一部を上側から挟み込む上挟持片８ａと、下側から挟み込む下挟持片８ｂと、これら上下挟持片８ａ、８ｂを上下に離れる方向に弾性的に撓み可能に連結する連結部８ｃとから構成されている。
【００１３】
前記鋼製の梁材２は、本実施の形態では、図１に示すように、断面略Ｈ字状に形成された、所謂、Ｈ鋼が用いられており、その一端に、前記挟持部８によって挟み込むことができる被挟持部２ａを備えている。なお、後述するが、梁材２として用いられる鋼材はＨ鋼だけに限られるものではなく、例えば、断面略Ｔ型の鋼材や断面略Ｃ型の鋼材等、折板用固定金具１が取り付け可能な形状を有していれば良い。
【００１４】
前記折板材３は、屋根面を略山谷状に形成するように、前記梁材２の上面に当接する谷部３ａと、この谷部３ａの両側部から所定角度に延出する一方および他方の傾斜部３ｂ、３ｃと、これら傾斜部３ｂ、３ｃの端部から水平方向外側に延出する第１および第２の頂部３ｄ、３ｅと、これら第１および第２の頂部３ｄ、３ｅの端部に設けられて、鉤状に形成され、かつ、隣接する折板材３の端部とともに接合される第１および第２の接合部３ｇとから構成されている。
また、この折板材３は、図示はしないが、少なくとも所定間隔をあけて隣接する梁材２と梁材２とに架け渡されて設置できるような長さに設定されている。
【００１５】
前記金具本体４は、図２（ｂ）に示すように、前記梁材２の長手方向において隣接する一方の折板材３を支持する第１の折板支持部５と、他方の折板材３を支持する第２の折板支持部６とが設けられている。
前記第１の折板支持部５は、この第１の折板支持部５の上端部から水平方向外側に延出して前記折板材３の第１の頂部３ｄを受ける頂受け部５ａと、この頂受け部５ａの端部から、前記折板材３の傾斜部３ｂの裏面を受ける傾斜受け部５ｂと、前記第１の折板支持部５の下端部から水平方向外側に延出して前記挟持部８の上面に当接する当接部５ｃとから構成されている。
前記第２の折板支持部６は、前記第１の折板支持部５よりも低い位置に設けられており、該第２の折板支持部６の上端部から水平方向外側に延出して前記折板接合部７を取り付ける取付部６ａと、この取付部６ａの端部から、前記折板材３の傾斜部の裏面を受ける傾斜受け部６ｂと、前記第２の折板支持部６の下端部から水平方向外側に延出して前記挟持部８の上面に当接する当接部６ｃとから構成されている。
また、これら第１の折板支持部５と第２の折板支持部６とは、図２（ａ）に示すように、リベット等の接合部材４ａによって接合されている。
【００１６】
前記折板接合部７は、図２（ａ）、（ｂ）に示すように、断面鉤状に形成され、前記一方の折板材３の端部と他方の折板材３の端部とを巻き込むようにして接合する鉤状部７ａと、この鉤状部７ａから下方に向かって徐々に先細りしつつ前記第１の折板支持部５に沿って立設する垂直板部７ｂと、この垂直板部７ｂの下端部から湾曲するようにして水平方向に延出して、前記第２の折板支持部６の取付部６ａの上面に当接し、折板接合部７自体を支持する支持脚部７ｃとから構成されている。
また、この折板接合部７は、前記支持脚部７ｃにカバー部材７ｄが被せられており、これら支持脚部７ｃとカバー部材７ｄとともに前記第２の折板支持部６の取付部６ａとがボルト７ｅ留めされることにより、強固に取り付けられる構成となっている。
【００１７】
前記挟持部８は、図２（ｂ）に示すように、前記第１および第２の当接部６ｃの下面に当接して金具本体４の下部に設けられており、断面略Ｕ字状に形成されて、前記梁材２の一部を上側から挟み込む上挟持片８ａと、下側から挟み込む下挟持片８ｂと、これら上下挟持片８ａ、８ｂを上下に離れる方向に弾性的に撓み可能に連結する連結部８ｃとから構成されている。
また、前記上挟持片８ａの内面側には接地部８ｄが設けられ、前記下挟持片８ｂの内面側には突出部８ｅが設けられており、前記上下挟持片８ａ、８ｂにより前記梁材２の一部を挟み込む際に、前記上挟持片８ａの接地部８ｄが前記梁材２上に安定的に当接するようになっているとともに、前記下挟持片８ｂの突出部８ｅが前記梁材２の一部に滑り止めのようにして当接している。これにより、前記折板用固定金具１の立設状態を向上させることができるとともに、前記挟持部８の挟持状態を向上させることができる。
【００１８】
以上のような構成の折板用固定金具１を用いて、前記梁材２上に、折板屋根Ａを構成する複数の折板材３、３…を固定するには、図１に示すように、まず、前記挟持部８を前記梁材２の被挟持部２ａに取り付ける。
該挟持部８の取り付けに際しては、前記被挟持部２ａの所定位置に、前記挟持部８の連結部８ｃを外側から金槌等の打込用部材（図示せず）で打ち込み、前記挟持部８の上下挟持片８ａ、８ｂによって前記梁材２の被挟持部２ａを挟みこむようにして行う。
以上のようにして、前記梁材２の被挟持部２ａに複数の前記折板用固定金具１を所定の間隔をあけて設置していく。
【００１９】
次に、前記複数の折板材３、３…を、前記折板用固定金具１の設置位置が屋根面の山部となるように、前記一方の折板材３の第１の接合部３ｆと、前記他方の折板材３の第２の接合部３ｇとを、前記鉤状に形成された前記鉤状部７ａに取り付けてから、巻き込むようにして前記第１の接合部３ｆおよび第２の接合部３ｇと鉤状部７ａとの接合を行う。そして、同様の作業を前記折板用固定金具１の各設置位置において繰り返し行って、折板屋根Ａを構築していくようにする。
このようにして、前記折板用固定金具１の設置位置を屋根面の山部とするような折板屋根Ａを構築することができるようになっている。
【００２０】
一方、前記梁材２の大きさが大きい際には、前記折板用固定金具１の挟持部８によって梁材２の被挟持部２ａを挟み込むことができない場合がある。そのような際には、図３（ａ）に示すように、大きい梁材２０上に、前記挟持部８によって挟み込むことができる大きさのＴ型鋼２１を設置して、このＴ型鋼２１の被挟持部２１ａに対して前記挟持部８を挟み込ませるようにする。
なお、前記折板材３は、上述の取り付け方法と同様の方法で取り付けることができることは言うまでもない。
【００２１】
また、このようにＴ型鋼２１を設置した場合の梁材２０と梁材２０とのジョイント部２２には、図３（ｂ）に示すように、架設板材２３を設けて、この架設板材２３に対して前記折板用固定金具１を取り付けるようにする。
【００２２】
さらに、前記Ｔ型鋼２１を設置した場合の梁材２０と梁材２０との交差部２４には、図３（ｃ）に示すように、一方の梁材２０に対して直交する他方の梁材２０の上面に、前記Ｔ型鋼２１を設置して、このＴ型鋼２１の被挟持部２ａに前記挟持部８を挟み込ませるようにする。
【００２３】
以上のようにして、前記折板用固定金具１を用いて、Ｈ鋼やＴ型鋼２１等の梁材２上に、折板屋根Ａを構成する複数の折板材３、３…を固定することができる。
【００２４】
本実施の形態の折板用固定金具１によれば、従来とは異なり、比較的少ない部材数によって構成されていても、前記梁材２上に前記一方の折板材３および他方の折板材３を確実に固定することができるので、従来と比較して、その製造コストを低減させることができるとともに、軽量化を図ることができる。さらには、前記金具本体４の下部に設けられた挟持部８により容易、かつ強固に、前記梁材２上に一方および他方の折板材３を固定することができるので、溶接作業やボルト締め作業の作業工程をなくすことが可能となり、施工性を格段に向上させることができる。
【図面の簡単な説明】
【００２５】
【図１】本発明の折板用固定金具を梁材に取り付け、その上に複数の折板材を取り付けた状態を示す斜視図である。
【図２】本発明の折板用固定金具を示し、（ａ）は側面図であり、（ｂ）は正面図である。
【図３】本発明の折板用固定金具の他の取り付け例を示し、（ａ）は梁材上に設けたＴ型鋼に取り付けた側面図であり、（ｂ）は梁材と梁材とのジョイント部に設ける場合の背面図であり、（ｃ）は梁材と梁材との交差部に設ける場合の背面図である。
【符号の説明】
【００２６】
１  折板用固定金具
２  梁材
３  折板材
４  金具本体
５  第１の折板支持部
６  第２の折板支持部
７  折板接合部
８  挟持部
８ａ  上挟持片
８ｂ  下挟持片
８ｃ  連結部
【図１】
2006193950.tif 000003
【図２】
2006193950.tif 000004
【図３】
2006193950.tif 000005